(57)【要約】【課題】浴室壁面や浴室カウンターに付着した水や結露水が時間差おいて洗い場全面に流入拡散することを防止し、短時間に乾燥する洗い場を提供することを目的とする。【解決手段】洗い場表面５の周辺に親水帯６を設け、親水帯６は排水口７に向けて下り勾配で連通することにより、壁面や浴室カウンターから洗い場表面５に流入した水を洗い場全面に拡散することなく親水帯６に一旦保水し、排水口７より流出することにより、洗い場を短時間に乾燥させることができる。【選択図】図１
2006274642.tif 000002
【特許請求の範囲】
【請求項１】
洗い場表面の周辺に連続した親水帯を設け、前記親水帯は排水口に向けて下り勾配を備え排水口に連通する構成の洗い場。
【請求項２】
洗い場表面の中央部のほぼ全面に親水処理を施し、親水帯と中央部との間に非親水帯部を設けた請求項１に記載の洗い場。
【請求項３】
親水帯と中央部は排水口に向かって異なった下り勾配を持った請求項１または２に記載の洗い場。
【請求項４】
親水帯は周辺部から中央部に向けて上り勾配を設けた請求項１〜３のいずれか１項に記載の洗い場。
【請求項５】
親水帯と中央部との間に凸部を設けた請求項１〜４のいずれか１項に記載の洗い場。
【発明の詳細な説明】
【技術分野】
【０００１】
本発明は、浴室用システムバスの洗い場に関するものである。
【背景技術】
【０００２】
従来、この種の洗い場は、洗い場は壁面設置した３方向の外縁部から排水口に向けて下り勾配で傾斜させて、床面の残留水滴削減を図っている（例えば、特許文献１参照）。
【０００３】
図６は、特許文献１に記載された従来の浴室用洗い場を示すものである。図６に示すように、洗い場１の表面部２は周辺部３から排水口４に向かって矢印ａで示す下り勾配を備えている。
【特許文献１】特開平９−１００６４０号公報
【発明の開示】
【発明が解決しようとする課題】
【０００４】
しかしながら、前記従来の構成では、排水口に向けた下り勾配面を通じて排水する構成であり、且つ、排水口に向け一様に勾配を持っている為に、入浴後浴室内壁面や浴室カウンター部に付着した水滴又は結露水が時間差を生じて洗い場部に流入した場合、洗い場内側に残留するという課題を有していた。
【０００５】
本発明は、前記従来の課題を解決するもので、洗い場内側に残水が残留し難い構成とした洗い場を提供することを目的とする。
【課題を解決するための手段】
【０００６】
前記従来の課題を解決するために、本発明の洗い場は、洗い場表面の周辺に連続した親水帯を設け、洗い場周辺に沿って排水口に繋がる構成としたものである。
【０００７】
これによって、入浴後浴室内壁面や浴室カウンター部に付着した水滴又は結露水が時間差を生じて洗い場に流入した場合、洗い場周辺に沿って設けた親水帯に一旦保水され親水帯を通って排水口より流出する。
【発明の効果】
【０００８】
本発明の洗い場は、入浴後浴室内壁面や浴室カウンター部に付着した水滴又は結露水が時間差を生じて洗い場中央部に流入することがなく、洗い場中央部を短時間に乾燥させることができる。
【発明を実施するための最良の形態】
【０００９】
第１の発明は、洗い場表面の周辺に連続した親水帯を設け、前記親水帯は排水口に向けて下り勾配を備え排水口に連通することにより、入浴後浴室内壁面や浴室カウンター部に付着した水滴又は結露水が時間差を生じて洗い場部に流入した場合でも、洗い場周辺に沿って設けた親水帯に一旦保水され親水帯を通って排水口より流出するため、洗い場中央部に流入することがなく、洗い場中央部を短時間に乾燥させることができる。
【００１０】
第２の発明は、特に、第１の発明において洗い場表面の中央部のほぼ全面に親水処理を施し、親水帯と中央部との間に非親水帯部を設けることにより、親水帯部の残水が非親水帯部で堰き止められ洗い場中央部に残水が流入しなくすることができる。
【００１１】
第３の発明は、特に、第１または第２の発明の親水帯と中央部は排水口に向かって異なった下り勾配を持った構成とすることにより、周辺部と中央部の残水が各々の別の勾配面に従って流れることとなり、洗い場中央部に残水が流入しなくすることができる。
【００１２】
第４の発明は、特に、第１〜３のいずれか１つの発明の周辺部から中央部に向けて上り勾配を設けることにより、周辺部からの残水が頂点部で堰き止められ、洗い場中央部に残水が流入することをより確実に防止できる。
【００１３】
第５の発明は、特に、第１〜４のいずれか１つの発明の親水帯と洗い場中央部との間に凸部を設けることにより、周辺部からの残水が凸部で堰き止められ、洗い場中央部に残水が流入することをより確実に防止できる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における洗い場の平面図を示すものであり、図２は図１に示すＡＡ断面図である。
【００１６】
図１に示すように、ＦＲＰ樹脂で一体に成型した浴室用の洗い場表面５の周辺には、全周に亘り親水塗料を帯状に塗布し親水帯６を設けており、親水帯６は排水口７に向かって矢印ｂで示すように下り勾配で連通した構成となっている。
【００１７】
洗い場表面５の中央部８にも親水塗料を塗布し親水面９を形成してあり、親水帯６と洗い場中央部８との間には非親水帯１０が連続して設けることにより、親水帯６と親水面９は隔離した状態となっている。また中央部８は全面的に排水口７に向かって矢印ｃで示すように下り勾配を備えている。
【００１８】
以上のように構成された洗い場について、以下その動作、作用を説明する。
【００１９】
まず、入浴後浴室内壁面や浴室カウンター部に付着した水滴又は結露水は、ほとんどの場合、時間差をおいて洗い場表面５に流入する。流入する水は洗い場表面５の周辺部から中央部８へ流入拡散するものであるが、本実施の形態においては、周辺部に親水帯６を設けてあるため、流入した水は親水帯６内に拡散し、親水帯６に設けた矢印ａで表示した下り勾配に沿って排水口７に導かれ排水される。
【００２０】
また、入浴直後に洗い場表面５の中央部８に残った水は親水面９全面に拡散しつつ下り勾配に沿って排水口７へと排水される。
【００２１】
以上のように、入浴後に洗い場表面に残った水は、中央部は親水面と下り勾配により排水口に排水され、短時間に乾燥することができる。また、浴室の壁面等から時間差をおいて洗い場表面に落下してくる水は、親水帯を介して排水口に排水されるため、洗い場表面の中央部に拡散されることはなく、しかも親水帯は洗い場の周辺部に限って設けているため入浴後短時間で浴室内に入っても足を濡らすことはなく、快適に使用することができる。
【００２２】
なお、本実施の形態においては、洗い場表面の中央部に親水面を設けたがこれは必ずしも必須の要件ではなく、中央部はＦＲＰの成型したままの状態でも差し支えない。
【００２３】
また、親水帯と中央部の排水口に向けての下り勾配は必ずしも別の独立した勾配である必要はなく、洗い場表面の全体形状として親水帯と中央部がいずれも排水口に連通する下り勾配を得ることができるものであれば差し支えない。
【００２４】
また、本実施の形態においては親水処理として親水塗料を塗布した構成としたが、これに限るものではなく、樹脂材料に親水剤を混入して成型したものや、表面を凹凸形状に形成することにより、親水性能を高めた構成等が考えられる。
【００２５】
（実施の形態２）
図３は、本発明の第２の実施の形態における洗い場の断面図を示すものである。
【００２６】
図３において、矢印ｄは親水帯６を設けた洗い場表面１１の周辺部の勾配を示すものであり、非親水帯１０より周辺に向かって下り勾配となっており、親水帯６全体の勾配は実施の形態１と同様に排水口７に向かって連続した下り勾配で連通している。
【００２７】
実施の形態１と同一符号のものは同一の構造を有し、詳細な説明は省略する。
【００２８】
上記構成とすることにより、親水帯に流入した水は矢印ｃで示した勾配に洗い場表面の中央部１２に流入することを確実に防止することができるため、洗い場表面を短時間により確実に乾燥できる。
【００２９】
（実施の形態３）
図４は、本発明の第３の実施の形態における洗い場の断面図を示すものである。
【００３０】
図４に示すように、洗い場表面１３の親水帯５と親水面９の間の非親水帯１０に凸部１３を連続して設けた構成となっている。
【００３１】
実施の形態１および２と同一符号のものは同一の構造を有し、詳細な説明は省略する。
【００３２】
上記構成とすることにより、親水帯に流入した水は凸部１４により洗い場表面１３の中央部１５に流入することを確実に防止することができるため、洗い場表面を短時間により確実に乾燥できる。
【産業上の利用可能性】
【００３３】
以上のように、本発明にかかる洗い場は、親水部と非親水部および排水勾配の違いを利用して残水をなくすことが可能となるので、流し台や洗面カウンター等の残水防止等の用途にも適用できる。
【図面の簡単な説明】
【００３４】
【図１】本発明の実施の形態１における洗い場の平面図
【図２】本発明の実施の形態１における洗い場の断面図
【図３】本発明の実施の形態２における洗い場の断面図
【図４】本発明の実施の形態３における洗い場の断面図
【図５】従来の洗い場の平面図
【符号の説明】
【００３５】
５、１１、１３  洗い場表面
６  親水帯
７  排水口
８、１２、１５  中央部
１０  非親水帯
１４  凸部
【図１】
2006274642.tif 000003
【図２】
2006274642.tif 000004
【図３】
2006274642.tif 000005
【図４】
2006274642.tif 000006
【図５】
2006274642.tif 000007